(57)【要約】【課題】透水性と保水性を兼備させた舗装道路であって、その上、保水（吸水）能力を十分に発揮させながらも路面高さを殆ど変化させないようにすること。【解決手段】上面に上向溝１１を備える床ユニット１と、床ユニットの上向溝の奥部１１ｂに収容される吸水性ユニット２と、上向溝の入口部１１ａに収容される吸水スポンジ７と、吸水性ユニット及び吸水スポンジが積み重なって収容された床ユニットの上に載せる透水性シート３と、透水性シートの上に載せる砂４と、砂の上に載せる透水性ブロック５とを有し、床ユニットの上向溝の上側に吸水性ユニット、吸水スポンジ、透水性シート、砂、透水性ブロックを順番に積み重ねた積層構造とし、床ユニットには上向溝に通じる水抜き孔１２を設け、上向溝の奥部１１ｂにおける溝幅方向には吸水性ユニットが膨張するための膨張空間１３を備えていることを特徴とする舗装道路。【選択図】      図６
2010222957.tif 000002
【特許請求の範囲】
【請求項１】
上面に上向溝（１１）を備える床ユニット（１）と、床ユニット（１）の上向溝（１１）の奥部（１１ｂ）に収容される吸水性ユニット（２）と、上向溝（１１）の入口部（１１ａ）に収容される吸水スポンジ（７）と、吸水性ユニット（２）及び吸水スポンジ（７）が積み重なって収容された床ユニット（１）の上に載せる透水性シート（３）と、透水性シート（３）の上に載せる砂（４）と、砂（４）の上に載せる透水性ブロック（５）とを有し、床ユニット（１）の上向溝（１１）の上側に吸水性ユニット（２）、吸水スポンジ（７）、透水性シート（３）、砂（４）、透水性ブロック（５）を順番に積み重ねた積層構造とし、床ユニット（１）には上向溝（１１）に通じる水抜き孔（１２）を設け、上向溝（１１）の奥部（１１ｂ）における溝幅方向には吸水性ユニット（２）が膨張するための膨張空間（１３）を備えていることを特徴とする舗装道路。
【請求項２】
上向溝（１１）は、入口部（１１ａ）の溝幅を奥部（１１ｂ）の溝幅に比べて狭く形成してあり、乾燥状態では吸水性ユニット（２）は、入口部（１１ａ）の溝幅よりも左右に張り出す形態で奥部（１１ｂ）に収容されていることを特徴とする請求項１記載の舗装道路。
【請求項３】
上向溝（１１）がコ字形状の両端を内向きに屈曲したリップ溝形状であり、乾燥状態では吸水性ユニット（２）がほぼ直方体形状であることを特徴とする請求項１記載の舗装道路。
【請求項４】
上面に上向溝（１１）を備える床ユニット（１）と、床ユニット（１）の上向溝（１１）に収容される吸水性ユニット（２）と、吸水性ユニット（２）が収容された床ユニット（１）の上に載せる透水性シート（３）と、透水性シート（３）の上に載せる砂（４）と、砂（４）の上に載せる透水性ブロック（５）とを有し、床ユニット（１）の上向溝（１１）の上側に吸水性ユニット（２）、透水性シート（３）、砂（４）、透水性ブロック（５）を順番に積み重ねた積層構造とし、床ユニット（１）には上向溝（１１）に通じる水抜き孔（１２）を設け、上向溝（１１）の溝幅方向には吸水ユニット（２）が膨張するための膨張空間（１３）を備えていることを特徴とする舗装道路。
【請求項５】
上向溝（１１）がコ字形状であり、乾燥状態では吸水性ユニット（２）がほぼ直方体形状であることを特徴とする請求項４記載の舗装道路。
【請求項６】
吸水性ユニット（２）は、断面ほぼ矩形の筒状の袋（２１）に粒状の吸水材を充填してあり、
非伸縮性のバンド（２２）を、袋（２１）の断面ほぼ矩形の全周に沿って固定してあることを特徴とする請求項３又は５記載の舗装道路。
【請求項７】
袋（２１）は、上面の生地に、左右側面及び底面の生地よりも透水性が高く且つ吸水材の膨張時に伸び具合が悪いものを用いることを特徴とする請求項６記載の舗装道路。
【請求項８】
上向溝（１１）には透水性スペーサ及び吸水性ユニット（２）を順番に積み重ねてあることを特徴とする請求項１、２、３、４、５、６又は７記載の舗装道路。
【発明の詳細な説明】
【技術分野】
【０００１】
本発明は、透水性と保水性を兼備した舗装道路に関する。
【背景技術】
【０００２】
近年、地球温暖化に伴い日本各地で異常高温及び局地的な集中豪雨が発生している。異常高温時には、舗装道路からの日光の照り返しによってヒートアイランド現象が生じている。また、集中豪雨時には、大量の雨水が舗装道路から地下に浸透せずに側溝に流れ込むことにより、側溝や河川が氾濫し、家屋の床上又は床下浸水が起きている。
【０００３】
これら災害の発生原因の一つとして、舗装道路の原料にアスファルトを通常用いていることが指摘されている。アスファルトの舗装道路は、雨水等を地面に浸透させないし、日光の熱を吸収するからだと思われる。地面であれば、集中豪雨の場合には一定量の雨水を保水し、日光の熱を受けた場合には地面に含んだ水分を蒸発させるので、このような災害が起こり難い。
【０００４】
そこで、これら災害をできる限り防ぐために透水性と保水性を兼備した舗装道路について色々特許出願がなされている。特許文献１には、土のうを敷き詰め、その上に透水板を敷設したものが開示されている。
【先行技術文献】
【特許文献】
【０００５】
【特許文献１】特開２００６−１１８３２７号公報
【発明の概要】
【発明が解決しようとする課題】
【０００６】
土のうは、十分に吸水すれば膨張するものである。それにもかかわらず、土のうを敷き詰めた上に透水板を敷設してあるので、土のうが十分に吸水すればその分だけ路面高さ（透水板の高さ）が上昇することになり、舗装道路として使用するには妥当でない。また、透水板等の重みによって土のうが十分に吸水できないものであれば、その吸水能力は十分に発揮されていない。
【０００７】
本発明の舗装道路は上記実情を考慮して創作されたものであり、その解決課題は、透水性と保水性を兼備させ、その上、保水（吸水）能力を十分に発揮させながらも路面高さを殆ど変化させないようにすることである。
【課題を解決するための手段】
【０００８】
請求項１の発明は、上面に上向溝を備える床ユニットと、床ユニットの上向溝の奥部に収容される吸水性ユニットと、上向溝の入口部に収容される吸水スポンジと、吸水性ユニット及び吸水スポンジが積み重なって収容された床ユニットの上に載せる透水性シートと、透水性シートの上に載せる砂と、砂の上に載せる透水性ブロックとを有し、床ユニットの上向溝の上側に吸水性ユニット、吸水スポンジ、透水性シート、砂、透水性ブロックを順番に積み重ねた積層構造とし、床ユニットには上向溝に通じる水抜き孔を設け、上向溝の奥部における溝幅方向には吸水性ユニットが膨張するための膨張空間を備えていることを特徴とする。
【０００９】
上向溝は、上方向に開口している溝であれば良く、形状を問わない。また、吸水性ユニットも上向溝よりも小さなものであれば形状を問わない。しかし、吸水性ユニットが上方に膨張するのをより効率良く抑えるには、次のようにすることが望ましい。すなわち、請求項２の発明のように、上向溝は、入口部の溝幅を奥部の溝幅に比べて狭く形成してあり、乾燥状態では吸水性ユニットは、入口部の溝幅よりも左右に張り出す形態で奥部に収容されていることである。
【００１０】
吸水性ユニットの上面は、その上に吸水スポンジ及び透水性シートを介してレベル調整用の砂を載せる関係上、ほぼ平らであることが理想的だが、吸水時にできるだけ直方体形状のまま膨張させるには、次のようにすることが望ましい。すなわち、請求項３の発明のように、上向溝がコ字形状の両端を内向きに屈曲したリップ溝形状であり、乾燥状態では吸水性ユニットがほぼ直方体形状であることである。
【００１１】
請求項４の発明は、上面に上向溝を備える床ユニットと、床ユニットの上向溝に収容される吸水性ユニットと、吸水性ユニットが収容された床ユニットの上に載せる透水性シートと、透水性シートの上に載せる砂と、砂の上に載せる透水性ブロックとを有し、床ユニットの上向溝の上側に吸水性ユニット、透水性シート、砂、透水性ブロックを順番に積み重ねた積層構造とし、床ユニットには上向溝に通じる水抜き孔を設け、上向溝の溝幅方向には吸水ユニットが膨張するための膨張空間を備えていることを特徴とする。請求項４の発明と請求項１の発明の相違点は、吸水スポンジの有無である。
【００１２】
吸水性ユニットの上面は、その上に透水性シートを介してレベル調整用の砂を載せる関係上、ほぼ平らであることが理想的だが、吸水時にできるだけ直方体形状のまま膨張させるには、次のようにすることが望ましい。すなわち、請求項５の発明のように、上向溝がコ字形状であり、乾燥状態では吸水性ユニットがほぼ直方体形状であることである。
【００１３】
また、吸水性ユニットは、袋の中に粒状の吸水材を充填して作った場合、乾燥状態時では直方体形状であっても、円柱形状に膨らもうとする。上面ができるだけ平らな状態を維持し、その上側の吸水スポンジ又は透水性シートに密着した状態を維持して、吸水性ユニットの水分を毛細管現象により透水性ブロック側に導きやすくするには次のようにすることが望ましい。すなわち、請求項６の発明のように、吸水性ユニットは、断面ほぼ矩形の筒状の袋に粒状の吸水材を充填してあり、非伸縮性のバンドを、袋の断面ほぼ矩形の全周に沿って固定してあることである。
【００１４】
袋は、上面、左右側面、底面いずれも同じ素材で作っても良いが、吸水性ユニットが水分を吸収しやすく、逆に水分を気化させやすくするには、次にようにすることが望ましい。すなわち、請求項７の発明のように、袋は、上面の生地に、左右側面及び底面の生地よりも透水性が高く且つ吸水材の膨張時に伸び具合が悪いものを用いることである。
【００１５】
上向溝には、吸水性ユニットのみ、又は吸水性ユニットと吸水スポンジのみを収容してもよいが、次のようにしてもよい。すなわち、請求項８の発明のように、上向溝には透水性スペーサ及び吸水性ユニットを順番に積み重ねてあることである。
【発明の効果】
【００１６】
請求項１の発明の舗装道路は、吸水性ユニットが水分を吸収し、吸水性ユニットで吸収しきれなかった水分が床ユニットの水抜き孔から排水されるので、保水性と排水性を兼備している。そして、集中豪雨のようなときには、吸水性ユニットが膨張空間を利用して上向溝の中で膨れるので、多量の水分を吸収することになり、その能力範囲内で河川の洪水等を防ぐことができる。しかも、床ユニットの上向溝の上側には吸水性ユニット、吸水スポンジ、透水性シート、砂、透水性ブロックが積層している構造であると共に、吸水性ユニットが収容された上向溝の奥部の内側左右に膨張空間を形成してあることから、吸水性ユニットが横方向に膨張しやすく、上方向には膨張しづらく、たとえ上方向に少しばかり膨張したとしても、その膨張分だけ吸水スポンジが凹むことになる。従って、吸水の有無に関わらず、透水性ブロックの高さ（路面高さ）を維持でき、実用に値するものである。
【００１７】
また、床ユニットの上向溝の上側には吸水性ユニット、吸水スポンジ、透水性シート、砂、透水性ブロックが積層している構造であることから、気温が上昇した場合には、吸水性ユニットに含まれる水分が毛細管現象により吸水スポンジ、透水性シート、砂、透水性ブロックを経て気化することになり、気温を下げることができる。
【００１８】
その上、透水性ブロック、吸水スポンジ、吸水性ユニット、床ユニットは、施工現場以外の工場等で製造されるので、これらを運んで設置することで、施工性が向上する。
【００１９】
請求項２の発明は、上向溝が入口部の溝幅を奥部の溝幅に比べて狭く形成してあり、乾燥状態では吸水性ユニットが入口部の溝幅よりも左右に張り出す形態で奥部に収容されているので、吸水性ユニットが上方に膨張しようとしても、入口部の底に吸水性ユニットが干渉して上方に膨張するのを阻止するので、吸水スポンジの凹む量を減らしながらも吸水性ユニットの高さが殆ど変わることなく維持され、路面高さを維持できる。
【００２０】
請求項３の発明は、上向溝がコ字形状の両端を内向きに屈曲したリップ溝形状であり、乾燥状態では吸水性ユニットがほぼ直方体形状であるので、吸水による膨張時にも吸水性ユニットの直方体形状ができる限り維持され、吸水スポンジの凹む量を一段と減らしながらも吸水性ユニットの上面の平らさが維持され、路面高さを維持できる。
【００２１】
請求項４の発明は、吸水性ユニットの上側に吸水スポンジが無いが、請求項１と同様の構造であることから、吸水性ユニットが横方向に膨張しやすく、吸水時においても吸水性ユニットの高さが殆ど変わらないことになり、路面高さをほぼ維持でき、実用に値するものである。また、請求項１と同様に、気温が上昇した場合には、吸水性ユニットに含まれる水分が毛細管現象により気化することになり、気温を下げることができる。その上、透水性ブロック等は、施工現場以外の工場等で製造されるので、施工性が向上する。
【００２２】
請求項５の発明は、上向溝がコ字形状であり、乾燥状態では吸水性ユニットがほぼ直方体形状であるので、吸水時にもその直方体形状ができる限り維持され、吸水性ユニットの上面の平らさが維持され、路面高さをほぼ維持できる。
【００２３】
請求項６の発明は、吸水性ユニットが断面ほぼ矩形の筒状の袋に粒状の吸水材を充填してあるにも関わらず、非伸縮性のバンドを袋の断面ほぼ矩形の全周に沿って固定してあるので、吸水状態でも袋ができる限り断面ほぼ矩形のまま膨張して、その上面ができるだけ平らな状態を維持する。従って吸水性ユニットは、その上側の吸水スポンジや透水性シートに密着した状態を維持できる。
【００２４】
請求項７の発明は、袋の上面の生地に、左右側面及び底面の生地よりも透水性が高く且つ吸水材の膨張時に伸び具合が悪いものを用いるので、吸水性ユニットが上面を平らに維持でき、その結果、水分を吸収しやすく、逆に水分を気化させやすくなる。
【００２５】
請求項８の発明は、上向溝には透水性スペーサ及び吸水性ユニットを順番に積み重ねてあるので、上向溝が深い場合には透水性スペーサの上に吸水性ユニットを載せることで、吸水スポンジ又は吸水性ユニットの上面を床ユニットの上面に合わせることができ、施工性が向上する。
【図面の簡単な説明】
【００２６】
【図１】本発明の舗装道路を示す縦断面図である。
【図２】床ユニットよりも下側をも示す縦断面図である。
【図３】舗装道路を示す分解斜視図である。
【図４】（イ）（ロ）図は、実験１における１日目、２日目の結果を示すグラフである。
【図５】（イ）（ロ）図は、実験２における１日目、２日目の結果を示すグラフである。
【図６】本発明の第２例の舗装道路を示す縦断面図である。
【図７】第２例の舗装道路を示す分解斜視図である。
【図８】本発明の第３例の舗装道路を示す縦断面図である。
【発明を実施するための形態】
【００２７】
本発明の舗装道路の用途は、主に歩道である。本発明の舗装道路１０は、図１、図３に示すように、床ユニット１、吸水性ユニット２、透水性シート３、砂４、及び透水性ブロック５によって構成され、これらを路床６の上に積層した構造である。以下、詳述する。
【００２８】
路床６は、掘削した地面６１の上に砕石６２を敷き、転圧したものである。砕石６２は、自然のものであってもよいが、人工のものであっても良い。
【００２９】
床ユニット１は、その上面に縦断面コ字形状（Ｕ字形状）の上向溝１１を備えるものであって、上向溝１１には水抜き孔１２を連通して設けてある。より詳しくは、上向溝１１の底部には真下に貫通する水抜き孔１２を長手方向に間隔をおいて形成してある。床ユニット１には、上向溝１１を複数本並列しているブロックや、縦断面Ｕ字形状のものを用い、これらの原料には、合成樹脂（例えば高密度ポリエチレン）やコンクリートを用いる。床ユニット１に非透水性を有するものを用いれば舗装道路１０の保水効果が向上し、透水性を有するものを用いれば舗装道路１０の排水効果が向上する。また、床ユニット１は、上向溝１１の中に吸水性ユニット２を収容してある。床ユニット１の上面と吸水性ユニット２の上面とはほぼ同じ高さに合わせてある。また、床ユニット１は、その上向溝１１の溝幅を乾燥状態の吸水性ユニット２の横幅よりも広く形成してある。そして、上向溝１１の溝幅中央部に吸水性ユニット２を載せることにより、吸水性ユニット２の左右側面と上向溝１１の左右内側面との間に膨張空間１３を形成し、吸水性ユニット２の膨張に対応できるようにしてある。
【００３０】
吸水性ユニット２は、ほぼ直方体形状であって、袋２１の中に粒状の吸水材（多孔質砂、吸水性ポリマー、炭）、粒状のホタテ貝殻、及び銀箔を原料として詰めたものである。乾燥状態において袋２１の中の空間の殆ど（９５％以上）は、多孔質砂によって占有されている。一例として袋２１の空間が22.5リットル（高さ×横幅×奥行き：150×150×1000ｍｍ）の場合、乾燥状態の容積比で、多孔質砂、吸水性ポリマー、ホタテ貝殻、炭、銀箔の配合割合（単位リットル）は、21.684：0.286：0.330：0.200：ほぼ0（127ｍｍ×127ｍｍを３枚）にしてある。
【００３１】
袋２１は、上向溝１１の形状に合わせたほぼ直方体形状である。「ほぼ」としてあるのは、袋２１は柔らかい生地で作られていること、また、袋２１に吸水材等を詰めると、吸水材等の重量によって袋２１の形状がさらに崩れるからである。袋２１は、上面、左右側面、底面、及び前後面の生地を逢着して、縫い代２１ａが外側にでるようにしてある。袋２１の上面の生地にはその他の面（左右側面、前後面及び底面）の生地に比べて透水性が高く且つ伸び具合の悪いものが使用される。例えば合成繊維でありながら親水基を持つ繊維が用いられ、小雨の様な水滴も透水して吸水材が吸収できるようにする。一方、袋２１の上面以外の面の生地は、上面の生地に比べて強度の高いもの、例えば不織布を用いる。
【００３２】
また、袋２１にはバンド２２が長手方向に間隔をおいて固着してある。バンド２２は、袋２１の内側全周に沿って全体としてほぼ矩形のリング形状となるように逢着されている。より詳しく言えば、バンド２２は、各生地の内側に沿って縫い代２１ａの分も含めて逢着されているので、ほぼ矩形のリング形状の四隅から縫い代相当分２２ａだけ、はみ出す形状となっている。
【００３３】
このバンド２２は、上面の生地をできる限り水平に保ち、上面の生地から雨水を吸収しやすいようにするために用いられる。バンド２２は、非伸縮性の合成樹脂製品（例えばポリプロピレン製品）である。上面の生地と左右側面及び底面等の生地とに別の素材の生地を用いたことから、これらは、吸水時の伸び具合に差がある。従って、バンド２２がない場合には、吸水材の吸水に伴って袋２１が膨張したときに、袋２１が円柱状に膨らむことがあり、これでは、上面の生地の一部だけが透水性シート３に接することになり、吸水性ユニット２とその上側の透水性シート３との毛細管現象が働き難くなる。このようなことをバンド２２は防いでいる。
【００３４】
多孔質砂は、多孔質で孔が貫通しているもの（水に浮かない軽石を砕いたもの）を用いる。これは、水を濾過及び吸水する機能、並びに毛細管現象で袋２１の中の水を上方に導き透水性ブロック５を湿らせる機能、袋２１の形状特に袋２１の上面の生地が水平な状態を維持する機能を有する。また、これは、吸水力が容積比７０％で、乾燥時においては軽量であるため、輸送、取り扱いに優れている。多孔質砂の代わりに、ゼオライト、繊維屑、木屑等を用いても良い。
【００３５】
吸水性ポリマーは、重量比で粒子の３０〜４０倍の水分を吸収し、塩基分解せず、耐酸性、耐アルカリ性のあるものを用いる。袋２１の中にこのような高い吸収率の吸水性ポリマーだけを入れておくことはしない。というのも、乾燥した状態と多量に吸水した膨張状態とで吸水性ポリマーは容積に大差がある。膨張状態で上向溝１１が一杯に塞がれるように配慮して乾燥状態の容積を設計すると、吸水性ユニット２の容積が上向溝１１のそれに比べて小さくなりすぎ、その反面、膨張空間１３が広くなりすぎ、透水性シート３の上に砂４を撒いた際に、砂４の重みで透水性シート３が膨張空間１３に落ち込み易くなり、施工し難くなるからである。
【００３６】
炭（木炭）は吸水効果もあるが、主に消臭効果のために用いる。
【００３７】
ホタテ貝殻は、酸性雨の中和のために用いる。カキの殻や、石灰石等でも良い。
【００３８】
銀箔は、銀イオンによる殺菌効果のために用いる。
【００３９】
透水性シート３及び砂４は、汎用されているものを用いる。透水性シート３によって、その上に撒く砂４が床ユニット１の上向溝１１に落ちないようになる。
【００４０】
また、透水性ブロック５は、周知の透水性インターロッキングブロックを用いる。透水性ブロック５はその横幅を床ユニット１の上向溝１１の溝幅よりも広くしてある。
【００４１】
床ユニット１、吸水性ユニット２、透水性シート３及び透水性ブロック５は、施工現場とは別の工場等で予め生産されたものである。
【００４２】
上述した舗装路は以下の（１）〜（７）の手順で施工する。
（１）まず、掘削した地面６１の上に砕石６２を敷いて転圧することにより、路床６を作る。
（２）次に、床ユニット１を運んで、路床６の上に載せる。
（３）続いて、床ユニット１の上向溝１１の溝幅中央部に吸水性ユニット２を入れる。すると、上向溝１１の溝幅左右両側には膨張空間１３が形成され、床ユニット１の上面と吸水性ユニット２の上面とがほぼ同じ高さになる。
（４）その後、透水性シート３を床ユニット１の上に敷く。
（５）透水性シート３の上に砂４を撒いて転圧することにより、砂４の層を数ｃｍ作り、表面を平らにする。
（６）砂４の上に透水性ブロック５を載せ、転圧する。なお、透水性ブロック５を載せる際には、その両端部が床ユニット１の上向溝１１の溝幅よりも外側に位置するように配慮する。従って、上向溝１１に透水性ブロック５が落ち込むことは無く、荷重は透水性ブロック５の上から床ユニット１にかかるようになっている。
（７）最後に、透水性ブロック５の間に別の目地砂を撒いて、透水性ブロック５同士の噛み合わせを強固にする。
【００４３】
上述した舗装道路１０は、以下の要領で透水及び保水をする。雨が降ると、透水性ブロック５から砂４、透水性シート３を経て、吸水性ユニット２に水が浸み込む。雨の量が増えると、吸水性ユニット２で吸収しきれない分の水は、床ユニット１の水抜き孔１２から路床６に排出される。また、図２に示すように路床６の下に雨水貯留槽５０を埋設しておくと、路床６に排出された水が雨水貯留槽５０の上側の通水孔５１から内部に溜まる。
【００４４】
なお、図示しないが、多数の床ユニット１を互いの上向溝１１がその長手方向に沿って連続する状態で敷設して、上述した舗装道路１０をある一定区間連続して作った場合には、例えば３０ｍごとに図２と同様の雨水貯留槽を床ユニット１同士の間に挟まれるように埋設しておけば、この雨水貯留槽の上蓋を地上から開いて、中に溜まっている雨水等を掬って透水性ブロック５にかけてやることもでき、打ち水効果を発揮させることができる。
【００４５】
また、上述した舗装道路１０は、日光によって暖まると、吸水性ユニット２に浸み込んだ水が毛細管現象により透水性シート３、砂４、透水性ブロック５を経て蒸発するので、冷却効果が高いものである。なお、吸水性ユニット２の特性が劣化してきた場合には、透水性ブロック５、砂４、透水性シート３を順番にはぐれば、吸水性ユニット２を取り出すことができ、交換しやすい。
【００４６】
上述した舗装道路の特性を簡易に評価するために、以下の試料（サンプル１と比較例１）を利用して、実験１を行った。
サンプル１：合成樹脂製品の床ユニットの上向溝に透水性スペーサ（透水性ブロックを小型化したもの）、吸水性ユニットを順次載せ、床ユニットの上に透水性シート、透水性ブロックを順次載せたもの。但し、吸水性ユニットと透水性シートの間には隙間が２０ｍｍ程あいている。
比較例１：床ユニットの上向溝に透水性スペーサを収容し、透水性ブロックの代わりに非透水性ブロックを床ユニットの上に敷いたもの。
【００４７】
透水性ブロック及び非透水性ブロックの形状  縦×横×厚み：300×300×60ｍｍ。透水性ブロックの表面色：薄い桃色。非透水性ブロックの表面色：灰色。透水性シートの厚み：4ｍｍ。なお、透水性ブロック、吸水性ユニットは、恒温恒湿室20℃、65％の中に１週間入れ、状態調整を行った。
【００４８】
実験１の条件
試験場所は、人工気象室で、並列したサンプル１と比較例１の片側側方に日射装置を配置してある。日射装置は、多数のライトを鉛直方向及び水平方向に行列状に配列したものである。試験工程は、下記表１の通りである。
【表１】
2010222957.tif 000003
表１の第２、第６工程では、人工気象室内は、夏を想定して、室温３５℃、湿度４０％以下を目標に設定する。第３、第４、第７、第８工程では透水性ブロックの日射が3.5kW／m2となる条件で照射する。また、第４、第８工程では、開始直後に打ち水として、透水性ブロック及び非透水性ブロックに２リットルの水道水をじょうろで１分以内に散水し終える。
【００４９】
図４（イ）（ロ）には、実験１の結果をグラフで示してある。
第３工程の終了後の測定結果。
サンプル１の透水性ブロックの表面温度：46.5℃。
比較例１の非透水性ブロックの表面温度：49.0℃。
【００５０】
第３工程の打ち水直後からの試験結果。
サンプル１の透水性ブロックの表面温度は一挙に低下し、その後、比較例１よりも緩やかに温度が上昇して38.5℃に到達し、そのまま２時間程安定しから温度が再度上昇する。
一方、比較例１の非透水性ブロックの表面温度も一挙に低下し、その後、急激に温度が上昇して41℃に到達し、そのまま１時間程安定してから温度が再度上昇する。
【００５１】
実験１の検証。
サンプル１と比較例１との試験結果の差は、透水性ブロックと非透水性ブロックとの特性の差、並びに吸水性ユニット及び透水性シートの有無によるものと考えられる。
【００５２】
上述した舗装道路の特性を評価するために、以下の試料（サンプル２、比較例２）を利用して、実験２を行った。
サンプル２：サンプル１とほぼ同一であり、異なるのは、上向溝に載せる透水性スペーサの厚みを80ｍｍにしたことである。厚みを厚くすることにより、吸水性ユニットと透水性シートとの間に隙間がないようにし、毛細管現象が働き易いようにしている。
比較例２：床ユニットの上向溝に何も収容せずに、透水性ブロックを床ユニットの上に敷いたもの。
【００５３】
実験２の条件は、実験１と同じである。
図５（イ）（ロ）には、実験２の結果をグラフで示してある。
【００５４】
第３工程の終了後の測定結果。
サンプル２の透水性ブロックの表面温度：44.8℃。
比較例２の透水性ブロックの表面温度：46.8℃。
【００５５】
第４工程の打ち水直後からの試験結果。
サンプル２の透水性ブロックの表面温度は一挙に低下し、その後、比較例２よりも緩やかに温度が上昇して38.5℃に到達し、そのまま１時間程安定してから温度が再度上昇する。一方、比較例２の透水性ブロックの表面温度も一挙に低下し、その後、急激に温度が上昇して38.5℃に到達し、そのまま２時間程安定してから温度が再度上昇する。
【００５６】
第８工程の終了後の測定結果。
サンプル２の透水性ブロックの表面温度45.4℃。
比較例２の透水性ブロックの表面温度45.8℃。
【００５７】
実験２の検証。
サンプル２と比較例２との試験結果の差は、吸水性ユニット、透水性スペーサ及び透水性シートの有無によるものと考えられる。
【００５８】
実験１と２とを総合して検証すると、吸水性ユニットが透水性スペーサを介して透水性ブロックに接していること（隙間のないこと）が、気温の上昇を抑制するには効果的であると分かる。
【００５９】
図６、図７は本発明の第２例の舗装道路を示すものである。これは、先例と比べると、吸水スポンジ７を更に構成要素として備えている。吸水スポンジ７は、柔軟な連続気泡フォーム(例えばウレタンスポンジ)であって、直方体形状である。吸水スポンジ７も、先例と同様、施工現場とは別の工場等で予め生産したものである。また、先例と比べると、床ユニット１の上向溝１１が入口部１１ａの溝幅を奥部１１ｂのそれに比べて狭く形成してある。ここでは、コ字形状の両端を内向きに屈曲して溝幅を狭めている形状、つまりリップ溝形状になっている。そして、上向溝１１の奥部１１ｂに吸水性ユニット２を収容し、吸水性ユニット２の上に吸水スポンジ７を載せることによって上向溝１１の入口部１１ａに吸水スポンジ７を収容し、上向溝１１の上側に吸水性ユニット２、吸水スポンジ７、透水性シート３、砂４、透水性ブロック５を順番に積み重ねた積層構造としてある。
【００６０】
上向溝１１の奥部１１ｂと吸水性ユニット２との左右方向（溝幅方向）の両側には、膨張空間１３があるが、入口部１１ａと吸水スポンジ７との溝幅方向の両側には殆ど隙間がない状態となっている。このように隙間が無ければ、透水性シート３が敷き易い上に、透水性シート３の上に砂４を撒いても、砂４の重みで透水性シート３が落ち込むことがない。また、吸水性ユニット２は、上向溝１１の入口部１１ａの溝幅よりも幅広のものを用い、これを入口部１１ａの溝幅よりも左右に張り出す形態で奥部１１ｂに収容することにより、上方向への膨張を抑え、左右方向（膨張空間１３）に膨張し易くしている。
【００６１】
第２例の舗装道路は先例の施工手順（１）〜（７）と比べて（３）の手順が相違している。手順（３）では、床ユニット１の端面側から、上向溝１１の奥部１１ｂの溝幅中央部に吸水性ユニット２を挿入する。すると、吸水性ユニット２の上面が入口部１１ａの底面にほぼ隙間無く接し、吸水性ユニット２の左右には膨張空間１３が形成される。続いて、吸水スポンジ７を入口部１１ａに挿入することによって吸水性ユニット２の上に吸水スポンジ７が載り、吸水スポンジ７の上面と床ユニット１の上面とがほぼ同じ高さになる。なお、手順（１）、（２）、（４）〜（７）は、先例と同じである。
【００６２】
第２例の舗装道路は、吸水性ユニット２が吸水によって左右方向だけでなく上方向に少し膨張した場合でも、上方向への膨張分だけ吸水スポンジ７がその柔軟性によって凹むので、透水性ブロック５が下側から押し上げられることを、先例よりも一段と高いレベルで防止し、吸水の有無に関わらず透水性ブロック５の高さ（路面高さ）を高いレベルで維持するものである。
【００６３】
第２例の舗装道路は、以下の要領で透水及び保水をする。雨が降ると、透水性ブロック５から砂４、透水性シート３、吸水スポンジ７を経て、吸水性ユニット２に水が浸み込む。雨の量が増えると、吸水スポンジ７及び吸水性ユニット２で吸収しきれない分の水は、床ユニット１の水抜き孔１２から路床６に排出される。
【００６４】
第２例の舗装道路１０は、日光によって暖まると、吸水性ユニット２に浸み込んだ水が毛細管現象により、吸水スポンジ７、透水性シート３、砂４、透水性ブロック５を経て蒸発するので、冷却効果が高いものである。
【００６５】
図８は本発明の第３例の舗装道路を示すものである。これは、上向溝１１がコ字形状でありながらも、上向溝１１の奥部１１ｂに吸水性ユニット２を収容し、上向溝１１の入口部１１ａに吸水スポンジ７を収容してあるものである。この場合、第２例のように、入口部１１ａで吸水性ユニット２の上方向への膨張を抑えることはできないが、上方向への膨張分だけ吸水スポンジ７が凹むので、透水性ブロック５の高さを高いレベルで維持できるものである。
【００６６】
本発明は、上記実施形態に限定されない。例えば、上向溝１１の上下方向及び左右方向に収容する吸水性ユニット２の個数は、１つに限らず、複数であっても良い。また、床ユニット１も、上向溝１１を単一のブロックで構成するものに限らず、複数のブロックで構成するものであっても良い。さらに、入口部１１ａの溝幅が奥部１１ｂの溝幅に比べて狭い上向溝１１の形状は、Ｃ字状のように、側面及び底面が円く湾曲している形状であっても良い。なお、吸水スポンジ７と上向溝１１の入口部１１ａとの間に溝幅方向の隙間があってもよい。
【符号の説明】
【００６７】
１床ユニット、１１上向溝、１１ａ入口部、１１ｂ奥部、１２水抜き孔、１３膨張空間
２吸水性ユニット、２１袋、２１ａ縫い代、２２バンド、２２ａ縫い代相当分、
３透水性シート、４砂、５透水性ブロック、６路床、６１地面、６２砕石、
７吸水スポンジ、
１０舗装道路、５０雨水貯留槽
【図１】
2010222957.tif 000004
【図２】
2010222957.tif 000005
【図３】
2010222957.tif 000006
【図４】
2010222957.tif 000007
【図５】
2010222957.tif 000008
【図６】
2010222957.tif 000009
【図７】
2010222957.tif 000010
【図８】
2010222957.tif 000011